(57)【要約】  本開示のある特定の態様は、例えば厳しい（stringent）多入力多出力（ＭＩＭＯ）モード等において、周波数シンセサイザパフォーマンスを向上するために複数の電圧制御発振器（ＶＣＯ）を使用するための方法および装置を提供する。発振信号を生成することができる１つの例示的な装置は、一般に、第１のＶＣＯと、第２のＶＣＯと、第２のＶＣＯに関連する位相ロックループ（ＰＬＬ）がアイドルである場合、第１のＶＣＯと並列に第２のＶＣＯを接続するように構成される接続回路と、を含む。
2017531376.tif 000002
【特許請求の範囲】
【請求項１】
発振信号を生成するための方法であって、
第１の電圧制御発振器（ＶＣＯ）から第１の発振信号を出力することと、
第２のＶＣＯに関連する位相ロックループ（ＰＬＬ）がアイドルである場合、前記第１のＶＣＯと並列に前記第２のＶＣＯを接続することと、
を備える、方法。
【請求項２】
前記第２のＶＣＯは、前記第１のＶＣＯと同じ発振周波数で動作するように構成される、請求項１に記載の方法。
【請求項３】
前記接続することは、前記第１のＶＣＯと前記第２のＶＣＯとの間に接続された１つまたは複数のスイッチを閉じることを備える、請求項１に記載の方法。
【請求項４】
前記スイッチは、第１の分岐および第２の分岐を有するＴスイッチを備え、前記第２の分岐は、前記第１の分岐のノードと前記第１のＶＣＯまたは前記第２のＶＣＯのうちの少なくとも１つに関する電気接地との間に接続され、前記スイッチを閉じることは、
前記第１の分岐における少なくとも１つのスイッチを閉じることと、
前記第２の分岐における少なくとも１つのスイッチを開くことと、
を備える、請求項３に記載の方法。
【請求項５】
前記第１のＶＣＯから前記第２のＶＣＯを分離することをさらにを備える、請求項１に記載の方法。
【請求項６】
前記分離することの後に、前記第２のＶＣＯに関連する前記ＰＬＬの少なくとも一部をオンにすることをさらに備える、請求項５に記載の方法。
【請求項７】
前記分離することは、前記第１のＶＣＯと前記第２のＶＣＯとの間に接続された１つまたは複数のスイッチを開くことを備える、請求項５に記載の方法。
【請求項８】
前記スイッチは、第１の分岐および第２の分岐を有するＴスイッチを備え、前記第２の分岐は、前記第１の分岐のノードと前記第１のＶＣＯまたは前記第２のＶＣＯのうちの少なくとも１つに関する電気接地との間に接続され、前記スイッチを開くことは、
前記第１の分岐における少なくとも１つのスイッチを開くことと、
前記第２の分岐における少なくとも１つのスイッチを閉じることと、
を備える、請求項７に記載の方法。
【請求項９】
前記第２のＶＣＯに関連する前記ＰＬＬは、装置に関するキャリアアグリゲーション（ＣＡ）モードにおいてアクティブであり、前記第２のＶＣＯは、前記ＣＡモードにおいて前記第１のＶＣＯから分離される、請求項５に記載の方法。
【請求項１０】
前記第２のＶＣＯに関連する前記ＰＬＬは、装置に関する多入力多出力（ＭＩＭＯ）モードにおいてアイドルであり、前記第２のＶＣＯは、前記ＭＩＭＯモードにおいて前記第１のＶＣＯと接続される、請求項１に記載の方法。
【請求項１１】
前記接続することの前に、前記第２のＶＣＯに関連する前記ＰＬＬの一部をオフにすることをさらに備える、請求項１に記載の方法。
【請求項１２】
前記第１のＶＣＯに関連するＰＬＬを使用することをさらに備える、請求項１１に記載の方法。
【請求項１３】
前記接続することの後に、前記第１のＶＣＯによって生成された前記第１の発振信号および前記第２のＶＣＯによって生成された第２の発振信号は、注入同期される、請求項１に記載の方法。
【請求項１４】
前記第１のＶＣＯは、第１のタンク回路および第１のアクティブな負の相互コンダクタンス回路を備え、前記第２のＶＣＯは、第２のタンク回路および第２のアクティブな負の相互コンダクタンス回路を備え、前記第１のタンク回路は、前記第２のタンク回路とは異なる、請求項１に記載の方法。
【請求項１５】
発振信号を生成することができる装置であって、
第１の電圧制御発振器（ＶＣＯ）と、
第２のＶＣＯと、
前記第２のＶＣＯに関連する位相ロックループ（ＰＬＬ）と、
前記第２のＶＣＯに関連する前記ＰＬＬがアイドルである場合、前記第１のＶＣＯと並列に前記第２のＶＣＯを接続するように構成される接続回路と、
を備える、装置。
【請求項１６】
前記第２のＶＣＯは、前記第１のＶＣＯと同じ発振周波数で動作するように構成される、請求項１５に記載の装置。
【請求項１７】
前記接続回路は、前記第１のＶＣＯと前記第２のＶＣＯとの間の１つまたは複数のスイッチを備える、請求項１５に記載の装置。
【請求項１８】
前記スイッチは、第１の分岐および第２の分岐を有するＴスイッチを備え、前記第２の分岐は、前記第１の分岐のノードと前記第１のＶＣＯまたは前記第２のＶＣＯのうちの少なくとも１つに関する電気接地との間に接続され、前記接続回路は、
前記第１の分岐における少なくとも１つのスイッチを閉じることと、
前記第２の分岐における少なくとも１つのスイッチを開くことと、
によって、前記第１のＶＣＯと並列に前記第２のＶＣＯを接続するように構成される、請求項１７に記載の装置。
【請求項１９】
前記接続回路は、前記第１のＶＣＯから前記第２のＶＣＯを分離するようにさらに構成される、請求項１５に記載の装置。
【請求項２０】
前記第２のＶＣＯに関連する前記ＰＬＬの少なくとも一部は、前記第２のＶＣＯが前記第１のＶＣＯから分離された後に、電力を入れられる、請求項１９に記載の装置。
【請求項２１】
前記接続回路は、前記第１のＶＣＯと前記第２のＶＣＯとの間の１つまたは複数のスイッチを備える、請求項１９に記載の装置。
【請求項２２】
前記スイッチは、第１の分岐および第２の分岐を有するＴスイッチを備え、前記第２の分岐は、前記第１の分岐のノードと前記第１のＶＣＯまたは前記第２のＶＣＯのうちの少なくとも１つに関する電気接地との間に接続され、前記接続回路は、
前記第１の分岐における少なくとも１つのスイッチを開くことと、
前記第２の分岐における少なくとも１つのスイッチを閉じることと、
によって、前記第１のＶＣＯから前記第２のＶＣＯを分離するように構成される、請求項２１に記載の装置。
【請求項２３】
前記第２のＶＣＯに関連する前記ＰＬＬは、装置に関するキャリアアグリゲーション（ＣＡ）モードにおいてアクティブであり、前記第２のＶＣＯは、前記ＣＡモードにおいて前記第１のＶＣＯから分離される、請求項１９に記載の装置。
【請求項２４】
前記第２のＶＣＯに関連する前記ＰＬＬは、装置に関する多入力多出力（ＭＩＭＯ）モードにおいてアイドルであり、前記第２のＶＣＯは、前記ＭＩＭＯモードにおいて前記第１のＶＣＯと接続される、請求項１５に記載の装置。
【請求項２５】
前記第２のＶＣＯに関連する前記ＰＬＬの一部は、前記第２のＶＣＯが前記第１のＶＣＯと接続される前に、電力を切られる、請求項１５に記載の装置。
【請求項２６】
前記第１のＶＣＯに関連するＰＬＬをさらに備え、ここにおいて、前記第２のＶＣＯが前記第１のＶＣＯと接続されるときに前記第１のＶＣＯに関連する前記ＰＬＬが使用される、請求項２５に記載の装置。
【請求項２７】
前記第２のＶＣＯが前記第１のＶＣＯと接続された後に、前記第１のＶＣＯによって生成された第１の発振信号および前記第２のＶＣＯによって生成された第２の発振信号は、合わせて注入同期される、請求項１５に記載の装置。
【請求項２８】
前記第１のＶＣＯは、第１のタンク回路および第１のアクティブな負の相互コンダクタンス回路を備え、前記第２のＶＣＯは、第２のタンク回路および第２のアクティブな負の相互コンダクタンス回路を備え、前記第１のタンク回路は、前記第２のタンク回路とは異なる、請求項１５に記載の装置。
【発明の詳細な説明】
【米国特許法第１１９条に基づく優先権の主張】
【０００１】
[0001]  本出願は、参照により本明細書にその全体が組み込まれる、２０１４年９月９日に出願された米国特許仮出願第６２／０４８，１２４号の利益を主張する、２０１４年１１月２０日に出願された米国特許出願番号第１４／５４８，７０５号に対して、優先権を主張する。
【技術分野】
【０００２】
[0002]  本開示のある特定の態様は一般に、無線周波数（ＲＦ）回路に関し、より具体的には、周波数シンセサイザパフォーマンスを向上（increase）させるために、複数の電圧制御発振器（ＶＣＯ）を並列に使用することに関する。
【背景技術】
【０００３】
[0003]  ワイヤレス通信ネットワークは、電話通信、ビデオ、データ、メッセージング、ブロードキャスト等のような様々な通信サービスを提供するために広く展開されている。そのようなネットワークは、通常多元接続ネットワークであり、利用可能なネットワークリソースを共有することによって多数のユーザのための通信をサポートする。例えば、１つのネットワークは、３Ｇ（第３世代の携帯電話規格および技術）システムであり得、それは、ＥＶＤＯ（Evolution-Data Optimized）、１ｘＲＴＴ（１倍の無線送信技術（1 times Radio Transmission Technology）あるいは単に１ｘ）、Ｗ−ＣＤＭＡ（登録商標）（Wideband Code Division Multiple Access）、ＵＭＴＳ−ＴＤＤ（Universal Mobile Telecommunications System - Time Division Duplexing）、ＨＳＰＡ（High Speed Packet Access）、ＧＰＲＳ（General Packet Radio Service）、またはＥＤＧＥ（Enhanced Data rates for Global Evolution）を含む様々な３Ｇ無線アクセス技術（ＲＡＴ）のうちの任意の１つを介してネットワークサービスを提供し得る。３Ｇネットワークは、音声通話に加えて、高速インターネットアクセスおよびビデオ電話を組み込むように進化したワイドエリアセルラ電話ネットワークである。さらに、３Ｇネットワークは、他のネットワークシステムに比べてより確立されている可能性があり、かつ他のネットワークシステムより大きなカバレッジエリアを提供し得る。そのような多元接続ネットワークはまた、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリアＦＤＭＡ（ＳＣ−ＦＤＭＡ）ネットワーク、第３世代パートナーシッププロジェクト（３ＧＰＰ（登録商標））ロングタームエボリューション（ＬＴＥ（登録商標））ネットワーク、およびロングタームエボリューションアドバンスト（ＬＴＥ−Ａ）ネットワークを含み得る。
【０００４】
[0004]  ワイヤレス通信ネットワークは、多数のモバイル局のための通信をサポートすることができる多数の基地局を含み得る。モバイル局（ＭＳ）は、ダウンリンクおよびアップリンクを介して基地局（ＢＳ）と通信し得る。ダウンリンク（またはフォワードリンク）は、基地局からモバイル局への通信リンクを指し、アップリンク（またはリバースリンク）は、モバイル局から基地局への通信リンクを指す。基地局は、ダウンリンク上でモバイル局にデータおよび制御情報送信し得る、および／または、アップリンク上でモバイル局からデータおよび制御情報を受信し得る。
【発明の概要】
【０００５】
[0005]  本開示のある特定の態様は一般に、特定の動作モードにおいて、周波数シンセサイザパフォーマンスを向上させるために、複数の電圧制御発振器（ＶＣＯ）を並列に使用することに関する。
【０００６】
[0006]  本開示のある特定の態様は、発振信号(oscillating signals)を生成するための方法を提供する。この方法は一般に、第１の電圧制御発振器（ＶＣＯ）から第１の発振信号を生成することと、第２のＶＣＯに関連する位相ロックループ（ＰＬＬ）がアイドルである場合、第１のＶＣＯと並列に第２のＶＣＯを接続することとを含む。
【０００７】
[0007]  本開示のある特定の態様は、発振信号を生成することができる装置を提供する。この装置は一般に、第１の電圧制御発振器（ＶＣＯ）、第２のＶＣＯ、第２のＶＣＯに関連する位相ロックループ（ＰＬＬ）、および第２のＶＣＯに関連するＰＬＬがアイドルである場合、第１のＶＣＯと並列に第２のＶＣＯを接続するように構成される接続回路（connection circuitry）を含む。
【０００８】
[0008]  ある特定の複数の態様にしたがって、第２のＶＣＯは、第１のＶＣＯと同じ発振周波数で動作するように構成される。
【０００９】
[0009]  ある特定の複数の態様にしたがって、接続回路は、第１のＶＣＯと第２のＶＣＯとの間の１つまたは複数のスイッチを含む。それらスイッチは、第１の分岐（branch）および第２の分岐を有するＴスイッチ(a T switch)を備え得る。第２の分岐は、第１の分岐のノードと第１のＶＣＯまたは第２のＶＣＯのうちの少なくとも１つに関する電気接地（an electrical ground）との間に接続され得る。この場合、接続回路は、第１の分岐における少なくとも１つのスイッチを閉じることと、第２の分岐における少なくとも１つのスイッチを開くこととによって、第１のＶＣＯと並列に第２のＶＣＯを接続するように構成され得る。
【００１０】
[0010]  ある特定の複数の態様では、接続回路は、第１のＶＣＯから第２のＶＣＯを分離（disconnect）するようにさらに構成される。ある特定の複数の態様では、第２のＶＣＯに関連するＰＬＬの少なくとも一部は、第２のＶＣＯが第１のＶＣＯから分離された後に、電力を入れられ得る。ある特定の複数の態様では、接続回路は、第１のＶＣＯと第２のＶＣＯとの間の１つまたは複数のスイッチを含む。それらスイッチは、第１の分岐および第２の分岐を有するＴスイッチを備え得、第２の分岐は、第１の分岐のノードと第１のＶＣＯまたは第２のＶＣＯのうちの少なくとも１つに関する電気接地との間に接続され得る。この場合、接続回路は、第１の分岐における少なくとも１つのスイッチを開くことと、第２の分岐における少なくとも１つのスイッチを閉じることとによって、第１のＶＣＯから第２のＶＣＯを分離するように構成され得る。ある特定の複数の態様では、第２のＶＣＯに関連するＰＬＬは、装置に関するキャリアアグリゲーション（ＣＡ）モードにおいてアクティブであり、第２のＶＣＯは、ＣＡモードにおいて第１のＶＣＯから分離される。
【００１１】
[0011]  ある特定の複数の態様にしたがって、第２のＶＣＯに関連するＰＬＬは、装置に関する多入力多出力（ＭＩＭＯ）モードにおいてアイドルであり、第２のＶＣＯは、ＭＩＭＯモードにおいて第１のＶＣＯと接続される。
【００１２】
[0012]  ある特定の複数の態様にしたがって、第２のＶＣＯに関連するＰＬＬの一部は、第２のＶＣＯが第１のＶＣＯと接続される前に、電力を切られ得る（powered off）。ある特定の複数の態様では、装置は、第１のＶＣＯに関連するＰＬＬをさらに含み、それは、第２のＶＣＯが第１のＶＣＯと接続されるときに使用され得る。
【００１３】
[0013]  ある特定の複数の態様にしたがって、第２のＶＣＯが第１のＶＣＯと接続された後に、第１のＶＣＯによって生成された第１の発振信号および第２のＶＣＯによって生成された第２の発振信号は、注入同期される（injection locked together）。
【００１４】
[0014]  ある特定の複数の態様にしたがって、第１のＶＣＯは、第１のタンク回路および第１のアクティブな負の相互コンダクタンス回路（a first active negative transconductance circuit）を含み、第２のＶＣＯは、第２のタンク回路および第２のアクティブな負の相互コンダクタンス回路を含む。第１のタンク回路は、第２のタンク回路とは異なる。第１のアクティブな負の相互コンダクタンス回路は、第２のアクティブな負の相互コンダクタンス回路とは異なる。
【図面の簡単な説明】
【００１５】
[0015]  本開示の上述の特徴が詳細に理解されることができるように、上で簡潔に要約された内容について、複数の態様を参照することによってより詳しい説明がされ得、そのうちのいくつかは、添付の図面に例示される。しかしながら、添付の図面は、単に本開示のある特定の典型的な態様を例示しているだけであり、よってこの説明は他の同等に効果的な態様を認め得るので、その範囲を限定するように考えられるべきではないことに留意されたい。
【図１】[0016]  図１は、本開示のある特定の複数の態様による、例示的なワイヤレス通信ネットワークの図である。
【図２】[0017]  図２は、本開示のある特定の複数の態様による、例示的なアクセスポイント（ＡＰ）および例示的なユーザ端末のブロック図である。
【図３】[0018]  図３は、本開示のある特定の複数の態様による、例示的なトランシーバフロントエンド（an example transceiver front end）のブロック図である。
【図４】[0019]  図４は、本開示のある特定の複数の態様による、複数のスイッチによって選択的に接続および分離される、主要な電圧制御発振器（ＶＣＯ）および補助的なＶＣＯ（an auxiliary VCO）を例示する。
【図５】[0020]  図５は、本開示のある特定の複数の態様による、発振信号を生成するための例示的な動作を例示する。
【詳細な説明】
【００１６】
[0021]  本開示の様々な態様が、以下で説明される。本明細書における教示が多種多様な形態で具現化され得ること、および本明細書に開示されている任意の特定の構造、機能、またはその両方は単に代表的なものにすぎないことは、明白であるはずである。本明細書における教示に基づき、当業者は、ここに開示されたある態様は他の何れの態様とも無関係にインプリメントされ得ること、およびこれらの態様のうちの２つ以上は様々な手法で組み合わされ得ることを、理解するはずである。例えば、本明細書に記載される任意の数の態様を使用して、装置はインプリメントされ得るまたは方法は実行され得る。さらに、他の構造、機能性、または、ここに説明される態様のうちの１つまたは複数以外のまたはそれらに追加した構造および機能性を使用して、そのような装置はインプリメントされ得るまたはそのような方法は実現され得る。さらに、一態様は、一請求項の少なくとも１つエレメントを備え得る。
【００１７】
[0022]  「例示的な（exemplary）」という用語は、ここで「例、実例、または例示としての役割を果たす」という意味で使用される。「例示的」であるとここで説明された何れの態様も、必ずしも、他の態様よりも好ましいまたは有利であると解釈されるべきではない。
【００１８】
[0023]  ここに説明される技法は、符号分割多元接続（ＣＤＭＡ）、直交周波数分割多重（ＯＦＤＭ）、時分割多元接続（ＴＤＭＡ）、空間分割多元接続（ＳＤＭＡ）、単一キャリア周波数分割多元接続（ＳＣ−ＦＤＭＡ）、時分割同期符号分割多元接続（ＴＤ−ＳＣＤＭＡ）等のような様々なワイヤレス技術の組み合わせで使用され得る。複数のユーザ端末は、異なる（１）ＣＤＭＡのための直交コードチャネル、（２）ＴＤＭＡのための時間スロット、または（３）ＯＦＤＭのためのサブバンドを介してデータを同時に送信／受信することができる。ＣＤＭＡシステムは、ＩＳ−２０００、ＩＳ−９５、ＩＳ−８５６、ワイドバンドＣＤＭＡ（Ｗ−ＣＤＭＡ）、またはいくつかの他の規格をインプリメントし得る。ＯＦＤＭシステムは、電気電子技術者協会（ＩＥＥＥ）８０２．１１、ＩＥＥＥ８０２．１６、ロングタームエボリューション（ＬＴＥ）（例えば、ＴＤＤおよび／またはＦＤＤモードにおいて）、またはいくつかの他の規格をインプリメントし得る。ＴＤＭＡシステムは、移動通信のためのグローバルシステム（ＧＳＭ（登録商標））またはいくつかの他の規格をインプリメントし得る。これらの様々な規格は、当該技術分野において知られている。
例示的なワイヤレスシステム
[0024]  図１は、アクセスポイントおよびユーザ端末を有するワイヤレス通信システム１００を例示する。簡潔さのために、図１には１つのアクセスポイント１１０のみが示される。アクセスポイント（ＡＰ）は一般に、ユーザ端末と通信する固定局であり、基地局（ＢＳ）、発展型ＮｏｄｅＢ（ｅＮＢ）、または何らかの他の用語でも呼ばれ得る。ユーザ端末（ＵＴ）は、固定またはモバイルであり、モバイル局（ＭＳ）、アクセス端末、ユーザ装置（ＵＥ）、局（ＳＴＡ）、クライアント、ワイヤレスデバイス、または何らかの他の用語でも呼ばれ得る。ユーザ端末は、セルラフォン、携帯情報端末（ＰＤＡ）、ハンドヘルドデバイス、無線モデム、ラップトップコンピュータ、タブレット、パーソナルコンピュータ等のようなワイヤレスデバイスであり得る。
【００１９】
[0025]  アクセスポイント１１０は、ダウンリンクおよびアップリンク上で、任意の所与の時点において（at any given moment）１つまたは複数のユーザ端末１２０と通信し得る。ダウンリンク（すなわち、フォワードリンク）は、アクセスポイントからユーザ端末への通信リンクであり、アップリンク（すなわち、リバースリンク）は、ユーザ端末からアクセスポイントへの通信リンクである。ユーザ端末はまた、別のユーザ端末ともピアツーピアで通信し得る。システムコントローラ１３０は、アクセスポイントに結合し、およびアクセスポイントに調整（coordination）および制御を提供する。
【００２０】
[0026]  システム１００は、ダウンリンクおよびアップリンク上でのデータ送信のために複数の送信および複数の受信アンテナを用いる。アクセスポイント１１０には、ダウンリンク送信のための送信ダイバーシティおよび／またはアップリンク送信のための受信ダイバーシティを達成するために、Ｎａｐ個のアンテナ（a number Nap of antennas）が装備され得る。選択されたユーザ端末１２０のセットＮｕは、ダウンリンク送信を受信し得るおよびアップリンク送信を送信し得る。各選択されたユーザ端末は、ユーザ固有のデータをアクセスポイントに送信するおよび／またはユーザ固有のデータをアクセスポイントから受信する。一般に、各選択されたユーザ端末には、１つのまたは複数のアンテナ（すなわち、Ｎｕｔ≧１）が装備され得る。Ｎｕ個の選択されたユーザ端末は、同じまたは異なる数のアンテナを有することができる。
【００２１】
[0027]  ワイヤレスシステム１００は、時分割複信（ＴＤＤ）システムまたは周波数分割複信（ＦＤＤ）システムであり得る。ＴＤＤシステムの場合、ダウンリンクおよびアップリンクは、同じ周波数帯域を共有する。ＦＤＤシステムの場合、ダウンリンクおよびアップリンクは、異なる周波数帯域を使用する。システム１００はまた、送信のために単一のキャリアまたは複数のキャリア（a single carrier or multiple carriers）を利用し得る。各ユーザ端末には、単一のアンテナ（例えば、費用を低く抑えるために）、または複数のアンテナ（multiple antennas）（例えば、追加的な費用がサポートされることができる場合）が装備され得る。
【００２２】
[0028]  図２は、ワイヤレスシステム１００における、アクセスポイント１１０と２つのユーザ端末１２０ｍおよび１２０ｘのブロック図を示す。アクセスポイント１１０には、Ｎａｐ個のアンテナ２２４ａから２２４ａｐが装備される。ユーザ端末１２０ｍには、Ｎｕｔ，ｍ個のアンテナ２５２ｍａから２５２ｍｕが装備され、ユーザ端末１２０ｘには、Ｎｕｔ，ｘ個のアンテナ２５２ｘａから２５２ｘｕが装備される。アクセスポイント１１０は、ダウンリンクのための送信エンティティであり、かつアップリンクのための受信エンティティである。各ユーザ端末１２０は、アップリンクについては送信エンティティであり、ダウンリンクについては受信エンティティである。ここで使用される場合、「送信エンティティ」は、周波数チャネルを介してデータを送信することができる、独立して動作される装置またはデバイスであり、「受信エンティティ」は、周波数チャネルを介してデータを受信することができる、独立して動作される装置またはデバイスである。以下の説明では、下付き文字「ｄｎ」はダウンリンクを表し、下付き文字「ｕｐ」はアップリンクを表し、Ｎｕｐ個のユーザ端末がアップリンク上での同時送信のために選択され、Ｎｄｎ個のユーザ端末がダウンリンク上での同時送信のために選択され、Ｎｕｐは、Ｎｄｎに等しいかまたは等しくない可能性があり、ＮｕｐおよびＮｄｎは、静的値（static values）であり得るか、各スケジューリングインターバルごとに変化することができる。ビームステアリングまたはいくつかの他の空間処理技法が、アクセスポイントおよびユーザ端末において使用され得る。
【００２３】
[0029]  アップリンクでは、アップリンク送信のために選択された各ユーザ端末１２０において、ＴＸデータプロセッサ２８８は、トラフィックデータをデータソース２８６から、および制御データをコントローラ２８０から受信する。ＴＸデータプロセッサ２８８は、そのユーザ端末のために選択されたレートに関連するコーディングおよび変調スキームに基づいて、そのユーザ端末のためのトラフィックデータ｛ｄｕｐ｝を処理（例えば、符号化、インタリーブ、および変調）し、データシンボルストリーム｛ｓｕｐ｝をＮｕｔ，ｍ個のアンテナのうちの１つに提供する。トランシーバフロントエンド（ＴＸ／ＲＸ）２５４（無線周波数フロントエンド（ＲＦＦＥ）としても知られる）は、アップリンク信号を生成するために、それぞれのシンボルストリームを受信および処理（例えば、アナログに変換、増幅、フィルタ、および周波数アップコンバート）する。トランシーバフロントエンド２５４はまた、例えばＲＦスイッチを介して送信ダイバーシティのためのＮｕｔ，ｍ個のアンテナのうちの１つにアップリンク信号をルーティングし得る。コントローラ２８０は、トランシーバフロントエンド２５４内でのルーティングを制御し得る。メモリ２８２は、ユーザ端末１２０のためのデータおよびプログラムコードを記憶し得、コントローラ２８０とインタフェース接続する（interface with）。
【００２４】
[0030]  Ｎｕｐ個のユーザ端末が、アップリンク上での同時送信のためにスケジュールされ得る。これらのユーザ端末の各々は、それの処理されたシンボルストリームのセットをアップリンク上でアクセスポイントに送信する。
【００２５】
[0031]  アクセスポイント１１０において、Ｎａｐ個のアンテナ２２４ａから２２４ａｐは、アップリンク上で送信するすべてのＮｕｐ個のユーザ端末からのアップリンク信号を受信する。受信ダイバーシティのために、トランシーバフロントエンド２２２は、処理のために、複数のアンテナ２２４のうちの１つから受信される信号を選択し得る。本開示のある特定の態様については、複数のアンテナ２２４から受信される信号の組み合わせは、改良された受信ダイバーシティのために組み合わせられ得る。アクセスポイントのトランシーバフロントエンド２２２はまた、ユーザ端末のトランシーバフロントエンド２５４によって実行されるものと相互補完的である処理を実行し、回復されたアップリンクデータシンボルストリームを提供する。回復されたアップリンクデータシンボルストリームは、ユーザ端末によって送信されたデータシンボルストリーム｛ｓｕｐ｝の推定値（an estimate）である。ＲＸデータプロセッサ２４２は、復号されたデータを取得するために、そのストリームのために使用されたレートにしたがって、回復されたアップリンクデータシンボルストリームを処理（例えば、復調、デインタリーブ、および復号）する。各ユーザ端末ごとに復号されたデータは、格納するために（for storage）データシンク２４４に、および／または、さらなる処理のためにコントローラ２３０に、提供され得る。
【００２６】
[0032]  ダウンリンクでは、アクセスポイント１１０において、ＴＸデータプロセッサ２１０は、ダウンリンク送信のためにスケジュールされたＮｄｎ個のユーザ端末のためのトラフィックデータをデータソース２０８から受信し、コントローラ２３０から制御データを受信し、および場合によってはスケジューラ２３４から他のデータを受信する。様々なタイプのデータが、異なるトランスポートチャネル上で送られ得る。ＴＸデータプロセッサ２１０は、各ユーザ端末のためのトラフィックデータを、そのユーザ端末のために選択されたレートに基づいて、処理（例えば、符号化、インタリーブ、および変調）する。ＴＸデータプロセッサ２１０は、Ｎｄｎ個のユーザ端末のより多くのもののうちの１つ（one of more of the Ndn user terminals）に、Ｎａｐ個のアンテナのうちの１つから送信されることになるダウンリンクデータシンボルストリームを提供し得る。トランシーバフロントエンド２２２は、ダウンリンク信号を生成するために、シンボルストリームを受信および処理（例えば、アナログに変換、増幅、フィルタ、および周波数アップコンバート）する。トランシーバフロントエンド２２２はまた、例えば、ＲＦスイッチを介して送信ダイバーシティのためにＮａｐ個のアンテナ２２４のうちの１つまたは複数にダウンリンク信号をルーティングし得る。コントローラ２３０は、トランシーバフロントエンド２２２内でのルーティングを制御し得る。メモリ２３２は、アクセスポイント１１０のためのデータおよびプログラムコードを記憶し得、コントローラ２３０とインタフェースをとり得る。
【００２７】
[0033]  各ユーザ端末１２０において、Ｎｕｔ，ｍ個のアンテナ２５２が、アクセスポイント１１０からダウンリンク信号を受信する。ユーザ端末１２０における受信ダイバーシティのために、トランシーバフロントエンド２５４は、処理のために、複数のアンテナ２５２のうちの１つから受信される信号を選択し得る。本開示のある特定の態様については、複数のアンテナ２５２から受信される信号の組み合わせは、改良された受信ダイバーシティのために組み合わせられ得る。ユーザ端末のトランシーバフロントエンド２５４はまた、アクセスポイントのトランシーバフロントエンド２２２によって実行されるものと相互補完的である処理を実行し、回復されたダウンリンクデータシンボルストリームを提供する。ＲＸデータプロセッサ２７０は、そのユーザ端末のための復号されたデータを取得するために、回復されたダウンリンクデータシンボルストリームを処理（例えば、復調、デインタリーブ、および復号）する。
【００２８】
[0034]  当業者は、ここに説明された技法が、ＴＤＭＡ、ＳＤＭＡ、直交周波数分割多元接続（ＯＦＤＭＡ）、ＣＤＭＡ、ＳＣ−ＦＤＭＡ、ＴＤ−ＳＣＤＭＡ、およびそれらの組み合わせ等の任意のタイプの多元接続スキームを利用して、複数のシステムに一般に適用され得ることを認識するだろう。
【００２９】
[0035]  図３は、本開示のある特定の複数の態様による、図２におけるトランシーバフロントエンド２２２、２５４等の、例示的なトランシーバフロントエンド３００のブロック図である。トランシーバフロントエンド３００は、１つまたは複数のアンテナを介して信号を送信するための送信（ＴＸ）経路３０２（送信チェーンとしても知られる）、およびそれらアンテナを介して信号を受信するための受信（ＲＸ）経路３０４（受信チェーンとしても知られる）を含む。ＴＸ経路３０２およびＲＸ経路３０４がアンテナ３０３を共有するとき、これら経路は、インタフェース３０６を介してアンテナに接続され得、それは、デュプレクサ、スイッチ、ダイプレクサおよび同様のもの等の様々な好適なＲＦデバイスのうちの如何なるものも含み得る。
【００３０】
[0036]  デジタルアナログコンバータ（ＤＡＣ）３０８から同相（Ｉ）または直角位相（Ｑ）ベースバンドアナログ信号（in-phase (I) or quadrature (Q) baseband analog signals）を受信し、ＴＸ経路３０２は、ベースバンドフィルタ（ＢＢＦ）３１０、ミキサ３１２、ドライバ増幅器（ＤＡ）３１４、および電力増幅器３１６を含み得る。ＢＢＦ３１０、ミキサ３１２、およびＤＡ３１４は、無線周波数集積回路（ＲＦＩＣ）に含まれ得るが、一方でＰＡ３１６は、ＲＦＩＣの外部にあることが多い。ＢＢＦ３１０は、ＤＡＣ３０８から受信されるベースバンド信号をフィルタし、ミキサ３１２は、対象となるベースバンド信号（the baseband signal of interest）を異なる周波数に変換する（例えば、ベースバンドからＲＦにアップコンバートする）ために、フィルタされたベースバンド信号を送信ローカル発振器（ＬＯ）信号と混合（mixes）する。ヘテロダインとして知られているこの周波数変換処理は、対象となる信号（the signal of interest）の周波数およびＬＯ周波数の和および差周波数（the sum and difference frequencies）を生成する。和および差周波数は、ビート周波数と称される。ビート周波数は通常、ミキサ３１２によって出力される信号が通常ＲＦ信号であるようにＲＦの範囲にあり、それらはアンテナ３０３によって送信される前に、ＤＡ３１４によっておよびＰＡ３１６によって増幅される。
【００３１】
[0037]  ＲＸ経路３０４は、低雑音増幅器（ＬＮＡ）３２２、ミキサ３２４、およびベースバンドフィルタ（ＢＢＦ）３２６を含む。ＬＮＡ３２２、ミキサ３２４、およびＢＢＦ３２６は、無線周波数集積回路（ＲＦＩＣ）に含まれ得、それは、ＴＸ経路コンポーネントを含むＲＦＩＣと同じＲＦＩＣであり得るかまたはそうではない可能性がある。アンテナ３０３を介して受信されるＲＦ信号は、ＬＮＡ３２２によって増幅され得、ミキサ３２４は、対象となるＲＦ信号（the RF signal of interest）を異なるベースバンド周波数に変換（すなわち、ダウンコンバート）するために、増幅されたＲＦ信号を受信ローカル発振器（ＬＯ）信号と混合する。ミキサ３２４によって出力されるベースバンド信号は、デジタル信号処理のために、アナログデジタルコンバータ（ＡＤＣ）３２８によってデジタルＩまたはＱ信号（digital I or Q signals）に変換される前に、ＢＢＦ３２６によってフィルタされ得る。
【００３２】
[0038]  ＬＯの出力が周波数において安定した状態を保つことが望ましい一方、異なる周波数に同調することは可変周波数発振器を使用することを示し、それは、安定性と同調性との間の妥協(compromises between stability and tunability)に関わる。現代のシステムは、特定の同調領域（tuning range）の、安定した、同調可能なＬＯを生成するために、電圧制御発振器（ＶＣＯ）を有する周波数シンセサイザを用いる。したがって、送信ＬＯは、典型的にはＴＸ周波数シンセサイザ３１８によって生み出され、それは、ミキサ３１２においてベースバンド信号と混合される前に、増幅器３２０によって増幅されるかまたはバッファされ得る。同様に、受信ＬＯは典型的にはＲＸ周波数シンセサイザ３３０によって生み出され、それは、ミキサ３２４においてＲＦ信号と混合される前に、増幅器３３２によって増幅されるかまたはバッファされ得る。
例示的な発振信号ジェネレータ
[0039]  複数のアンテナシステムが、ダイバーシティおよびビームフォーミング能力を提供するためにＲＦシステムにおいて広く使用される。そのような複数のアンテナシステムは典型的には、単一のアンテナシステムに比べて、著しく低いノイズレベルを要求（demand）し、それは、周波数シンセサイザおよびＴＸチェーンの設計を複雑化する。シンセサイザのために、低減された位相ノイズが望まれる。典型的には、シンセサイザはこれらの能力を用いるモードをカバーするために過度に設計（over-designed）されており、それにより相当なエリアおよび電力ペナルティを作り出している。
【００３３】
[0040]  多くのワイヤレスシステムでは、補助的なＶＣＯが、（例えば８０＋８０モードが例であるが）主要なＶＣＯと同じ帯域においてキャリアアグリゲーション（ＣＡ）をサポートするために使用される。図４は、例示的な発振信号ジェネレータ４００を例示し、それは、例えば、ＴＸシンセサイザ３１８またはＲＸシンセサイザ３３０に含まれ得る。例示的な発振信号ジェネレータ４００は、複数の位相ロックループ（ＰＬＬ）４０２ａ、４０２ｂ（集合的に「ＰＬＬ４０２」）を備え、それらの各々はＶＣＯ（例えば、補助的なＶＣＯ４０４ａおよび主要なＶＣＯ４０４ｂ、集合的に「ＶＣＯ４０４」）を有する。ＶＣＯ４０４の各々は、タンク回路４０６（例えば、ＬＣタンク回路）および負の相互コンダクタンス（−Ｇｍ）回路４０８（例えば、クロスカップルされたトランジスタを備える）を備え得る。言い換えれば、補助的なＶＣＯ４０４ａは、主要なＶＣＯ４０４ｂから独立して動作し、各ＶＣＯはそれ自身のタンク回路４０６ａ、４０６ｂ、および負の相互コンダクタンス回路４０８ａ、４０８ｂを有する。各ＰＬＬ４０２ａ、４０２ｂの出力は、それぞれのバッファ４１０ａ、４１０ｂ（集合的に「バッファ４１０」）に接続され得る。
【００３４】
[0041]  本開示のある特定の態様は、通常モードをそのままに保ちながら（while keeping the normal modes intact）、ＮｘＮ  ＭＩＭＯモード等の非ＣＡモードにおけるパフォーマンスを向上させるために、主要なＶＣＯ４０４ｂとともに補助的なＶＣＯ４０４ａを使用するための方法および装置を提供する。これを達成するため、ＶＣＯ４０４の出力（例えば、差動電圧制御発振信号線（the differential voltage-controlled oscillating signal lines））は、接続回路４１２を通して接続され得、それは、複数のスイッチから成り得る。通常モードでは、主要なおよび補助的なＶＣＯ４０４ｂ、４０４ａは、２つの別々のＰＬＬ４０２ｂ、４０２ａにおいて独立して機能する。しかしながら、これらの２つのＶＣＯ４０４の差動出力は、例えば、接続回路４１２において２つの「Ｔ」スイッチによって１つに接続される（connected together）。
【００３５】
[0042]  Ｔスイッチは、１つまたは複数の水平分岐と、それら水平分岐のうちの少なくとも１つと交わる１つまたは複数の垂直分岐とを有すると考えられ得、それにより概念的に「Ｔ」形を形成する。図４の例では、接続回路４１２における第１のＴスイッチの水平分岐は、スイッチ４２２および４２４を含み、第１のＴスイッチの垂直分岐は、スイッチ４１４および４１６を含む。第２のＴスイッチの水平分岐は、スイッチ４２６および４２８を含み、第２のＴスイッチの垂直分岐は、スイッチ４１８および４２０を含む。図４は、差動ＶＣＯ出力信号対における各トレースに関してグラウンドに垂直な２つの垂直スイッチ（例えば、スイッチ４１４および４１６）を例示するが、ある特定の複数の態様では、差動信号対の一方または両方のトレースは、接地するための単一の垂直スイッチまたは２つより多くのスイッチを有し得る。同様に、Ｔスイッチの水平分岐は、単一の水平スイッチまたは２つより多くの直列なスイッチを有し得る。
【００３６】
[0043]  通常モード（例えば、ＣＡモード）では、Ｔスイッチの水平分岐は開かれ、水平分岐におけるセンターノード（the center nodes）は、ＶＣＯを絶縁する目的で、（Ｔスイッチの垂直分岐を閉じることによって）接地される。言い換えれば、通常モードでは、スイッチ４２２、４２４、４２６および４２８は開かれる一方で、スイッチ４１４、４１６、４１８および４２０は閉じられる。ＭＩＭＯモードでは、補助的なシンセサイザ（例えば、補助的なＰＬＬ４０２ａの残りの部分）は、電力を切られ、およびＶＣＯ４０４（より具体的には、ＶＣＯの差動出力）は、信号対雑音比（ＳＮＲ）を引き上げる（boost）目的で、並列に接続される（水平スイッチ４２２、４２４、４２６、および４２８は閉じられ、垂直スイッチ４１４、４１６、４１８、および４２０は開かれる）。ここで使用される場合、「並列に」接続された２つのＶＣＯは、一般に、２つのＶＣＯの出力が１つに接続されていることを指す。
【００３７】
[0044]  ２つの発振器が互いに近くに配置され、隣接する周波数において動作する状況において、結合が充分に強く、かつ周波数が充分に近い場合には、一方の発振器の周波数はもう一方の周波数に同期され得る。その結果２つの発振器は「注入同期（injection locked）」されていると称される。ＶＣＯ４０４ａおよび４０４ｂが並列に接続されているとき、２つのＶＣＯによって生成される発振信号は、注入同期された状態になり得る。これが起こるとき、２つのＶＣＯによって生成される発振信号の振幅は、６ｄＢ増大し得るが、ノイズは３ｄＢのみ増大し得る。言い換えれば、補助的なＶＣＯ４０４ａによって生成される発振信号が主要なＶＣＯ４０４ｂによって生成される発振信号と同じ周波数である場合、強い結合（スイッチを通した）は、ＭＩＭＯモードに関して３ｄＢの位相ノイズ（ＰＮ）パフォーマンス（２ｘの電流で(at 2x the current)）の改善を達成する、対を成すＶＣＯアーキテクチャ（a paired VCO architecture）をもたらし得る。ＶＣＯ設計が異なる場合には、ＬＯ信号は、ＳＮＲの利点を提供するのと同じやり方で合計され得る（added together）。信号が建設的に増す（add constructively）（６ｄＢの利得）一方で、相関関係のないＶＣＯおよびチャージポンプ（ＣＰ：charge pump）ノイズは３ｄＢのみ増大し、よってＰＮの３ｄＢまでの低減を提供する。ＬＯは典型的には同相（in phase）であるはずであり、よって同じ基準およびディバイダ位相リセットが使用される可能性が最も高いであろう（may most likely be used）。
【００３８】
[0045]  位相ノイズ（Ｌ）についての式は、ｄＢｃ／Ｈｚを単位として、
【数１】
2017531376.tif 000003
【００３９】
であり、ここで、Δfは発振周波数に対する周波数オフセットであり、ｋはボルツマン定数（the Boltzmann constant,）であり、Ｔはケルビンを単位とする温度（the temperature in Kelvin）であり、Ｆは回路のノイズ指数（the noise factor）であり、Ｐはワットを単位とする共振器を通した平均電力（the average power through the resonator in watts）であり、ｆ０はＨｚを単位とする発振周波数であり、およびＱは、ＶＣＯのタンク回路の品質係数（the quality factor）である。上の方程式に基づいて、Ｌを２倍分（by a factor of 2）低減すると、位相ノイズの３ｄＢの低減がもたらされる。
【００４０】
[0046]  図５は、本開示の複数の態様による、発振信号を生成するための例示的な動作５００を例示する。動作５００は、ブロック５０２において、第１の電圧制御発振器（ＶＣＯ）（例えば、主要なＶＣＯ４０４ｂ）から第１の発振信号を生成することによって始まり得る。ブロック５０４において、第２のＶＣＯ（例えば、補助的なＶＣＯ４０４ａ）は、第２のＶＣＯに関連する位相ロックループ（ＰＬＬ）（例えば、ＰＬＬ４０２ａ）がアイドルである場合、第１のＶＣＯと並列に接続され得る（例えば、第１のおよび第２のＶＣＯの出力は、１つに接続され得る）。ある特定の複数の態様では、第２のＶＣＯに関連するＰＬＬは、装置に関する多入力多出力（ＭＩＭＯ）モードにおいてアイドルであり、第２のＶＣＯは、ＭＩＭＯモードにおいて第１のＶＣＯと接続される。
【００４１】
[0047]  ある特定の複数の態様にしたがって、第２のＶＣＯは、第１のＶＣＯと同じ発振周波数で動作するように構成される。
【００４２】
[0048]  ある特定の複数の態様にしたがって、ブロック５０４における接続することは、第１のＶＣＯと第２のＶＣＯとの間に接続された１つまたは複数のスイッチを閉じることに関わる。ある特定の複数の態様では、スイッチは、第１の分岐および第２の分岐を有するＴスイッチを備える。第２の分岐は、第１の分岐のノードと第１のＶＣＯまたは第２のＶＣＯのうちの少なくとも１つに関する電気接地との間に接続され得る。この場合、スイッチを閉じることは、第１の分岐における少なくとも１つのスイッチを閉じること、および第２の分岐における少なくとも１つのスイッチを開くことを含む。
【００４３】
[0049]  ある特定の複数の態様にしたがって、動作５００はさらに、ブロック５０６において、第１のＶＣＯから第２のＶＣＯを分離することを伴う（entail）。この場合、動作５００はさらに、ブロック５０６における分離することの後に、ブロック５０８において、第２のＶＣＯに関連するＰＬＬの少なくとも一部をオンにする（例えば、電力を入れる）ことを含み得る。ある特定の複数の態様では、ブロック５０６において分離することは、第１のＶＣＯと第２のＶＣＯとの間に接続された１つまたは複数のスイッチを開くことに関わる。それらスイッチは、第１の分岐および第２の分岐を有するＴスイッチを備え得る。第２の分岐は、第１の分岐のノードと第１のＶＣＯまたは第２のＶＣＯのうちの少なくとも１つに関する電気接地との間に接続され得る。この場合、スイッチを開くことは、第１の分岐における少なくとも１つのスイッチを開くこと、および第２の分岐における少なくとも１つのスイッチを閉じることを含む。ある特定の複数の態様では、第２のＶＣＯに関連するＰＬＬは、装置に関するキャリアアグリゲーション（ＣＡ）モードにおいてアクティブであり、第２のＶＣＯは、ＣＡモードにおいて第１のＶＣＯから分離される。
【００４４】
[0050]  ある特定の複数の態様にしたがって、動作５００は、ブロック５０４における接続することの前に、第２のＶＣＯに関連するＰＬＬの一部をオフにする（例えば、電力を切る（powering down））ことをさらに含む。この場合、動作５００はさらに、第１のＶＣＯに関連するＰＬＬを使用することに関わり得る。
【００４５】
[0051]  ある特定の複数の態様にしたがって、ブロック５０４における接続することの後に、第１のＶＣＯによって生成された第１の発振信号および第２のＶＣＯによって生成された第２の発振信号は、注入同期される。
【００４６】
[0052]  ある特定の複数の態様にしたがって、第１のＶＣＯは、第１のタンク回路および第１のアクティブな負の相互コンダクタンス回路を含み、第２のＶＣＯは、第２のタンク回路および第２のアクティブな負の相互コンダクタンス回路を備える。ある特定の複数の態様については、第１のタンク回路は、第２のタンク回路とは異なる。ある特定の複数の態様については、第１のアクティブな負の相互コンダクタンス回路は、第２のアクティブな負の相互コンダクタンス回路とは異なる。
【００４７】
[0053]  上述した様々な動作または方法は、対応する機能を実行することが可能である任意の適切な手段によって実行され得る。これらの手段は、回路、特定用途向け集積回路（ＡＳＩＣ）またはプロセッサに限定されるわけではないがそれらを含む、様々なハードウェアおよび／またはソフトウェアコンポーネント（１つまたは複数の）および／またはモジュール（１つまたは複数の）を含み得る。一般に、図に例示された動作が存在する場合、それらの動作は、同様の番号を有する、対応するカウンターパートのミーンズプラスファンクションコンポーネントを有し得る。
【００４８】
[0054]  例えば、送信するための手段は、送信機（例えば、図２に表されたユーザ端末１２０のトランシーバフロントエンド２５４または図２に示されたアクセスポイント１１０のトランシーバフロントエンド２２２）、および／または、アンテナ（例えば、図２に描かれたユーザ端末１２０ｍのアンテナ２５２ｍａから２５２ｍｕまたは図２に例示されたアクセスポイント１１０のアンテナ２２４ａから２２４ａｐ）を備え得る。受信するための手段は、受信機（例えば、図２に表されたユーザ端末１２０のトランシーバフロントエンド２５４または図２に示されたアクセスポイント１１０のトランシーバフロントエンド２２２）、および／または、アンテナ（例えば、図２に描かれたユーザ端末１２０ｍのアンテナ２５２ｍａから２５２ｍｕまたは図２に例示されたアクセスポイント１１０のアンテナ２２４ａから２２４ａｐ）を備え得る。処理するための手段または決定するための手段は、処理システムを備え得、それは、図２に例示されたユーザ端末１２０のＲＸデータプロセッサ２７０、ＴＸデータプロセッサ２８８、および／またはコントローラ２８０等の１つまたは複数のプロセッサを含み得る。接続するための手段は、接続回路を備え得、それは、図４の接続回路４１２におけるＴスイッチのような任意の適切な構成における１つまたは複数のスイッチを含み得る。発振信号を生成するための手段は、図４の主要なＶＣＯ４０４ｂのような電圧制御発振器を備え得る。
【００４９】
[0055]  ここで使用される場合、「決定すること（determining）」という用語は、多種多様なアクションを含む。例えば、「決定すること」は、算出すること（calculating）、計算すること（computing）、処理すること（processing）、導出すること（deriving）、調査すること（investigating）、調べること（looking up）（例えば、表、データベース、または別のデータ構造を調べること）、確かめること（ascertaining）等を含み得る。また、「決定すること」は、受信すること（receiving）（例えば、情報を受信すること）、アクセスすること（accessing）（例えば、メモリ内のデータにアクセスすること）等を含み得る。また、「決定すること」は、解決すること（resolving）、選択すること（selecting）、選ぶこと（choosing）、確立すること（establishing）等を含み得る。
【００５０】
[0056]  ここで使用される場合、複数の項目のリスト「のうちの少なくとも１つ」に言及する表現は、単一のメンバ（single members）を含む、それらの項目の如何なる組み合わせも指す。例として、「ａ、ｂ、またはｃのうちの少なくとも１つ」は、ａ、ｂ、ｃ、ａ−ｂ、ａ−ｃ、ｂ−ｃ、ａ−ｂ−ｃおよびそれらの如何なる組み合わせもカバーするように意図されている。
【００５１】
[0057]  本開示に関連して説明される様々な例示の論理ブロック、モジュールおよび回路は、ここに説明された機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス（ＰＬＤ）、ディスクリートゲートまたはトランジスタ論理、ディスクリートハードウェアコンポーネント、あるいはそれらの任意の組み合わせを用いてインプリメントまたは実行され得る。汎用プロセッサは、マイクロプロセッサであり得が、代替の方法では、プロセッサは、任意の市販のプロセッサ、コントローラ、マイクロコントローラ、またはステートマシンであり得る。プロセッサはまた、コンピューティングデバイスの組み合わせ、例えば、ＤＳＰと１つのマイクロプロセッサ、複数のマイクロプロセッサ、ＤＳＰコアと連携した１つまたは複数のマイクロプロセッサ、または任意の他のそのような構成との組み合わせとしてインプリメントされ得る。
【００５２】
[0058]  ここに開示された方法は、説明された方法を達成するための１つまたは複数のステップまたはアクションを備える。これら方法のステップおよび／またはアクションは、請求項の範囲から逸脱することなく互いに置き換えられ得る。言い換えれば、ステップまたはアクションの特定の順序が規定されていない限り、特定のステップおよび／またはアクションの順序および／または使用は、請求項の範囲から逸脱することなく修正され得る。
【００５３】
[0059]  説明された機能は、ハードウェア、ソフトウェア、ファームウェア、またはそれらの任意の組み合わせにおいてインプリメントされ得る。ハードウェアにおいてインプリメントされる場合、例示的なハードウェア構成は、ワイヤレスノードにおける処理システムを備え得る。処理システムは、バスアーキテクチャを用いてインプリメントされ得る。バスは、処理システムの特定の用途および全体的な設計制約に応じて、相互接続バスおよびブリッジをいくつでも含み得る。バスは、プロセッサ、機械読み取り可能な媒体、およびバスインタフェースを含む様々な回路を互いにリンクさせ得る。バスインタフェースは、バスを介してネットワークアダプタをとりわけ処理システムに接続するために使用され得る。ネットワークアダプタは、ＰＨＹレイヤの信号処理機能をインプリメントするために使用され得る。ユーザ端末１２０（図１参照）の場合、ユーザインタフェース（例えば、キーパッド、ディスプレイ、マウス、ジョイスティック等）もまた、バスに接続され得る。バスはまた、例えばタイミングソース、周辺機器、電圧レギュレータ、電力管理回路等の様々な他の回路をリンクし得、それらは当該技術分野において周知であるので、これ以上説明されることはない。
【００５４】
[0060]  処理システムは、外部のバスアーキテクチャを通してすべてが他のサポーティング回路構成とリンクしている、プロセッサの機能性を提供する１つまたは複数のマイクロプロセッサと、機械読み取り可能な媒体の少なくとも一部を提供する外部のメモリとを有する汎用処理システムとして、構成され得る。代替的に、処理システムは、プロセッサ、バスインタフェース、ユーザインタフェース（アクセス端末の場合）、サポーティング回路構成、および単一のチップに組み込まれた機械読み取り可能な媒体の少なくとも一部を有するＡＳＩＣ（特定用途向け集積回路）を用いて、あるいは、１つまたは複数のＦＰＧＡ（フィールドプログラマブルゲートアレイ）、ＰＬＤ（プログラマブル論理デバイス）、コントローラ、ステートマシン、ゲート論理、ディスクリートハードウェアコンポーネント、または任意の他の好適な回路構成、あるいは、本開示全体を通して説明された様々な機能性を実行することができる回路の任意の組み合わせを用いて、インプリメントされ得る。当業者は、特定の用途およびシステム全体に課せられた全体的な設計制約に応じて、処理システムのための説明された機能性を如何にして最良にインプリメントするかを認識することになる。
【００５５】
[0061]  本願の特許請求の範囲が上に例示されたまさにその構成およびコンポーネントに限定されないことは理解されるべきである。請求項の範囲から逸脱することなく、上で説明された装置および方法の詳細、動作、および配列において、様々な修正、変更、および変形がなされ得る。
【図１】
2017531376.tif 000004
【図２】
2017531376.tif 000005
【図３】
2017531376.tif 000006
【図４】
2017531376.tif 000007
【図５】
2017531376.tif 000008
【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
発振信号を生成するための方法であって、
第１の電圧制御発振器（ＶＣＯ）から第１の発振信号を出力することと、
第２のＶＣＯに関連する位相ロックループ（ＰＬＬ）がアイドルである場合、前記第１のＶＣＯと並列に前記第２のＶＣＯを接続および動作することと、ここにおいて、前記第２のＶＣＯは、第２のＶＣＯに関連する前記ＰＬＬがアイドルである場合、前記第１のＶＣＯと同じ発振周波数で動作するように構成される、
を備える、方法。
【請求項２】
前記接続することは、前記第１のＶＣＯと前記第２のＶＣＯとの間に接続された１つまたは複数のスイッチを閉じることを備える、請求項１に記載の方法。
【請求項３】
前記スイッチは、第１の分岐および第２の分岐を有するＴスイッチを備え、前記第２の分岐は、前記第１の分岐のノードと前記第１のＶＣＯまたは前記第２のＶＣＯのうちの少なくとも１つに関する電気接地との間に接続され、前記スイッチを閉じることは、
前記第１の分岐における少なくとも１つのスイッチを閉じることと、
前記第２の分岐における少なくとも１つのスイッチを開くことと、
を備える、請求項２に記載の方法。
【請求項４】
前記第１のＶＣＯから前記第２のＶＣＯを分離することをさらに備える、請求項１に記載の方法。
【請求項５】
前記分離することの後に、前記第２のＶＣＯに関連する前記ＰＬＬの少なくとも一部をオンにすることをさらに備える、請求項４に記載の方法。
【請求項６】
前記分離することは、前記第１のＶＣＯと前記第２のＶＣＯとの間に接続された１つまたは複数のスイッチを開くことを備える、請求項４に記載の方法。
【請求項７】
前記スイッチは、第１の分岐および第２の分岐を有するＴスイッチを備え、前記第２の分岐は、前記第１の分岐のノードと前記第１のＶＣＯまたは前記第２のＶＣＯのうちの少なくとも１つに関する電気接地との間に接続され、前記スイッチを開くことは、
前記第１の分岐における少なくとも１つのスイッチを開くことと、
前記第２の分岐における少なくとも１つのスイッチを閉じることと、
を備える、請求項６に記載の方法。
【請求項８】
前記第２のＶＣＯに関連する前記ＰＬＬは、装置に関するキャリアアグリゲーション（ＣＡ）モードにおいてアクティブであり、前記第２のＶＣＯは、前記ＣＡモードにおいて前記第１のＶＣＯから分離される、請求項４に記載の方法。
【請求項９】
前記第２のＶＣＯに関連する前記ＰＬＬは、装置に関する多入力多出力（ＭＩＭＯ）モードにおいてアイドルであり、前記第２のＶＣＯは、前記ＭＩＭＯモードにおいて前記第１のＶＣＯと接続される、請求項１に記載の方法。
【請求項１０】
前記接続することの前に、前記第２のＶＣＯに関連する前記ＰＬＬの一部をオフにすることをさらに備える、請求項１に記載の方法。
【請求項１１】
前記第１のＶＣＯに関連するＰＬＬを使用することをさらに備える、請求項１０に記載の方法。
【請求項１２】
前記接続することの後に、前記第１のＶＣＯによって生成された前記第１の発振信号および前記第２のＶＣＯによって生成された第２の発振信号は、注入同期される、請求項１に記載の方法。
【請求項１３】
前記第１のＶＣＯは、第１のタンク回路および第１のアクティブな負の相互コンダクタンス回路を備え、前記第２のＶＣＯは、第２のタンク回路および第２のアクティブな負の相互コンダクタンス回路を備え、前記第１のタンク回路は、前記第２のタンク回路とは異なる、請求項１に記載の方法。
【請求項１４】
発振信号を生成することができる装置であって、
第１の電圧制御発振器（ＶＣＯ）と、
第２のＶＣＯと、
前記第２のＶＣＯに関連する位相ロックループ（ＰＬＬ）と、
前記第２のＶＣＯに関連する前記ＰＬＬがアイドルである場合、前記第１のＶＣＯと並列に前記第２のＶＣＯを接続するように構成される接続回路と、ここにおいて、前記第２のＶＣＯは、前記第１のＶＣＯと並列に動作し、第２のＶＣＯに関連する前記ＰＬＬがアイドルである場合、前記第１のＶＣＯと同じ発振周波数で動作するように構成される、
を備える、装置。
【請求項１５】
前記接続回路は、前記第１のＶＣＯと前記第２のＶＣＯとの間の１つまたは複数のスイッチを備える、請求項１４に記載の装置。
【請求項１６】
前記スイッチは、第１の分岐および第２の分岐を有するＴスイッチを備え、前記第２の分岐は、前記第１の分岐のノードと前記第１のＶＣＯまたは前記第２のＶＣＯのうちの少なくとも１つに関する電気接地との間に接続され、前記接続回路は、
前記第１の分岐における少なくとも１つのスイッチを閉じることと、
前記第２の分岐における少なくとも１つのスイッチを開くことと、
によって、前記第１のＶＣＯと並列に前記第２のＶＣＯを接続するように構成される、請求項１５に記載の装置。
【請求項１７】
前記接続回路は、前記第１のＶＣＯから前記第２のＶＣＯを分離するようにさらに構成される、請求項１４に記載の装置。
【請求項１８】
前記第２のＶＣＯに関連する前記ＰＬＬの少なくとも一部は、前記第２のＶＣＯが前記第１のＶＣＯから分離された後に、電力を入れられる、請求項１７に記載の装置。
【請求項１９】
前記接続回路は、前記第１のＶＣＯと前記第２のＶＣＯとの間の１つまたは複数のスイッチを備える、請求項１７に記載の装置。
【請求項２０】
前記スイッチは、第１の分岐および第２の分岐を有するＴスイッチを備え、前記第２の分岐は、前記第１の分岐のノードと前記第１のＶＣＯまたは前記第２のＶＣＯのうちの少なくとも１つに関する電気接地との間に接続され、前記接続回路は、
前記第１の分岐における少なくとも１つのスイッチを開くことと、
前記第２の分岐における少なくとも１つのスイッチを閉じることと、
によって、前記第１のＶＣＯから前記第２のＶＣＯを分離するように構成される、請求項１９に記載の装置。
【請求項２１】
前記第２のＶＣＯに関連する前記ＰＬＬは、装置に関するキャリアアグリゲーション（ＣＡ）モードにおいてアクティブであり、前記第２のＶＣＯは、前記ＣＡモードにおいて前記第１のＶＣＯから分離される、請求項１７に記載の装置。
【請求項２２】
前記第２のＶＣＯに関連する前記ＰＬＬは、装置に関する多入力多出力（ＭＩＭＯ）モードにおいてアイドルであり、前記第２のＶＣＯは、前記ＭＩＭＯモードにおいて前記第１のＶＣＯと接続される、請求項１４に記載の装置。
【請求項２３】
前記第２のＶＣＯに関連する前記ＰＬＬの一部は、前記第２のＶＣＯが前記第１のＶＣＯと接続される前に、電力を切られる、請求項１４に記載の装置。
【請求項２４】
前記第１のＶＣＯに関連するＰＬＬをさらに備え、ここにおいて、前記第２のＶＣＯが前記第１のＶＣＯと接続されるときに前記第１のＶＣＯに関連する前記ＰＬＬが使用される、請求項２３に記載の装置。
【請求項２５】
前記第２のＶＣＯが前記第１のＶＣＯと接続された後に、前記第１のＶＣＯによって生成された第１の発振信号および前記第２のＶＣＯによって生成された第２の発振信号は、注入同期される、請求項１４に記載の装置。
【請求項２６】
前記第１のＶＣＯは、第１のタンク回路および第１のアクティブな負の相互コンダクタンス回路を備え、前記第２のＶＣＯは、第２のタンク回路および第２のアクティブな負の相互コンダクタンス回路を備え、前記第１のタンク回路は、前記第２のタンク回路とは異なる、請求項１４に記載の装置。
【手続補正２】
【補正対象書類名】明細書
【補正対象項目名】００５５
【補正方法】変更
【補正の内容】
【００５５】
[0061]  本願の特許請求の範囲が上に例示されたまさにその構成およびコンポーネントに限定されないことは理解されるべきである。請求項の範囲から逸脱することなく、上で説明された装置および方法の詳細、動作、および配列において、様々な修正、変更、および変形がなされ得る。
以下に本願の出願当初の特許請求の範囲に記載された発明を付記する。
［Ｃ１］
発振信号を生成するための方法であって、
第１の電圧制御発振器（ＶＣＯ）から第１の発振信号を出力することと、
第２のＶＣＯに関連する位相ロックループ（ＰＬＬ）がアイドルである場合、前記第１のＶＣＯと並列に前記第２のＶＣＯを接続することと、
を備える、方法。
［Ｃ２］
前記第２のＶＣＯは、前記第１のＶＣＯと同じ発振周波数で動作するように構成される、Ｃ１に記載の方法。
［Ｃ３］
前記接続することは、前記第１のＶＣＯと前記第２のＶＣＯとの間に接続された１つまたは複数のスイッチを閉じることを備える、Ｃ１に記載の方法。
［Ｃ４］
前記スイッチは、第１の分岐および第２の分岐を有するＴスイッチを備え、前記第２の分岐は、前記第１の分岐のノードと前記第１のＶＣＯまたは前記第２のＶＣＯのうちの少なくとも１つに関する電気接地との間に接続され、前記スイッチを閉じることは、
前記第１の分岐における少なくとも１つのスイッチを閉じることと、
前記第２の分岐における少なくとも１つのスイッチを開くことと、
を備える、Ｃ３に記載の方法。
［Ｃ５］
前記第１のＶＣＯから前記第２のＶＣＯを分離することをさらに備える、Ｃ１に記載の方法。
［Ｃ６］
前記分離することの後に、前記第２のＶＣＯに関連する前記ＰＬＬの少なくとも一部をオンにすることをさらに備える、Ｃ５に記載の方法。
［Ｃ７］
前記分離することは、前記第１のＶＣＯと前記第２のＶＣＯとの間に接続された１つまたは複数のスイッチを開くことを備える、Ｃ５に記載の方法。
［Ｃ８］
前記スイッチは、第１の分岐および第２の分岐を有するＴスイッチを備え、前記第２の分岐は、前記第１の分岐のノードと前記第１のＶＣＯまたは前記第２のＶＣＯのうちの少なくとも１つに関する電気接地との間に接続され、前記スイッチを開くことは、
前記第１の分岐における少なくとも１つのスイッチを開くことと、
前記第２の分岐における少なくとも１つのスイッチを閉じることと、
を備える、Ｃ７に記載の方法。
［Ｃ９］
前記第２のＶＣＯに関連する前記ＰＬＬは、装置に関するキャリアアグリゲーション（ＣＡ）モードにおいてアクティブであり、前記第２のＶＣＯは、前記ＣＡモードにおいて前記第１のＶＣＯから分離される、Ｃ５に記載の方法。
［Ｃ１０］
前記第２のＶＣＯに関連する前記ＰＬＬは、装置に関する多入力多出力（ＭＩＭＯ）モードにおいてアイドルであり、前記第２のＶＣＯは、前記ＭＩＭＯモードにおいて前記第１のＶＣＯと接続される、Ｃ１に記載の方法。
［Ｃ１１］
前記接続することの前に、前記第２のＶＣＯに関連する前記ＰＬＬの一部をオフにすることをさらに備える、Ｃ１に記載の方法。
［Ｃ１２］
前記第１のＶＣＯに関連するＰＬＬを使用することをさらに備える、Ｃ１１に記載の方法。
［Ｃ１３］
前記接続することの後に、前記第１のＶＣＯによって生成された前記第１の発振信号および前記第２のＶＣＯによって生成された第２の発振信号は、注入同期される、Ｃ１に記載の方法。
［Ｃ１４］
前記第１のＶＣＯは、第１のタンク回路および第１のアクティブな負の相互コンダクタンス回路を備え、前記第２のＶＣＯは、第２のタンク回路および第２のアクティブな負の相互コンダクタンス回路を備え、前記第１のタンク回路は、前記第２のタンク回路とは異なる、Ｃ１に記載の方法。
［Ｃ１５］
発振信号を生成することができる装置であって、
第１の電圧制御発振器（ＶＣＯ）と、
第２のＶＣＯと、
前記第２のＶＣＯに関連する位相ロックループ（ＰＬＬ）と、
前記第２のＶＣＯに関連する前記ＰＬＬがアイドルである場合、前記第１のＶＣＯと並列に前記第２のＶＣＯを接続するように構成される接続回路と、
を備える、装置。
［Ｃ１６］
前記第２のＶＣＯは、前記第１のＶＣＯと同じ発振周波数で動作するように構成される、Ｃ１５に記載の装置。
［Ｃ１７］
前記接続回路は、前記第１のＶＣＯと前記第２のＶＣＯとの間の１つまたは複数のスイッチを備える、Ｃ１５に記載の装置。
［Ｃ１８］
前記スイッチは、第１の分岐および第２の分岐を有するＴスイッチを備え、前記第２の分岐は、前記第１の分岐のノードと前記第１のＶＣＯまたは前記第２のＶＣＯのうちの少なくとも１つに関する電気接地との間に接続され、前記接続回路は、
前記第１の分岐における少なくとも１つのスイッチを閉じることと、
前記第２の分岐における少なくとも１つのスイッチを開くことと、
によって、前記第１のＶＣＯと並列に前記第２のＶＣＯを接続するように構成される、Ｃ１７に記載の装置。
［Ｃ１９］
前記接続回路は、前記第１のＶＣＯから前記第２のＶＣＯを分離するようにさらに構成される、Ｃ１５に記載の装置。
［Ｃ２０］
前記第２のＶＣＯに関連する前記ＰＬＬの少なくとも一部は、前記第２のＶＣＯが前記第１のＶＣＯから分離された後に、電力を入れられる、Ｃ１９に記載の装置。
［Ｃ２１］
前記接続回路は、前記第１のＶＣＯと前記第２のＶＣＯとの間の１つまたは複数のスイッチを備える、Ｃ１９に記載の装置。
［Ｃ２２］
前記スイッチは、第１の分岐および第２の分岐を有するＴスイッチを備え、前記第２の分岐は、前記第１の分岐のノードと前記第１のＶＣＯまたは前記第２のＶＣＯのうちの少なくとも１つに関する電気接地との間に接続され、前記接続回路は、
前記第１の分岐における少なくとも１つのスイッチを開くことと、
前記第２の分岐における少なくとも１つのスイッチを閉じることと、
によって、前記第１のＶＣＯから前記第２のＶＣＯを分離するように構成される、Ｃ２１に記載の装置。
［Ｃ２３］
前記第２のＶＣＯに関連する前記ＰＬＬは、装置に関するキャリアアグリゲーション（ＣＡ）モードにおいてアクティブであり、前記第２のＶＣＯは、前記ＣＡモードにおいて前記第１のＶＣＯから分離される、Ｃ１９に記載の装置。
［Ｃ２４］
前記第２のＶＣＯに関連する前記ＰＬＬは、装置に関する多入力多出力（ＭＩＭＯ）モードにおいてアイドルであり、前記第２のＶＣＯは、前記ＭＩＭＯモードにおいて前記第１のＶＣＯと接続される、Ｃ１５に記載の装置。
［Ｃ２５］
前記第２のＶＣＯに関連する前記ＰＬＬの一部は、前記第２のＶＣＯが前記第１のＶＣＯと接続される前に、電力を切られる、Ｃ１５に記載の装置。
［Ｃ２６］
前記第１のＶＣＯに関連するＰＬＬをさらに備え、ここにおいて、前記第２のＶＣＯが前記第１のＶＣＯと接続されるときに前記第１のＶＣＯに関連する前記ＰＬＬが使用される、Ｃ２５に記載の装置。
［Ｃ２７］
前記第２のＶＣＯが前記第１のＶＣＯと接続された後に、前記第１のＶＣＯによって生成された第１の発振信号および前記第２のＶＣＯによって生成された第２の発振信号は、合わせて注入同期される、Ｃ１５に記載の装置。
［Ｃ２８］
前記第１のＶＣＯは、第１のタンク回路および第１のアクティブな負の相互コンダクタンス回路を備え、前記第２のＶＣＯは、第２のタンク回路および第２のアクティブな負の相互コンダクタンス回路を備え、前記第１のタンク回路は、前記第２のタンク回路とは異なる、Ｃ１５に記載の装置。
【国際調査報告】
2017531376.tif 000009
2017531376.tif 000010